(57)【要約】      （修正有）【課題】操作画面を切り替える場合における、使い勝手のよいリモコン装置を提供する。【解決手段】ステップＳ１において処理が開始され、ステップＳ２において、リモコンボタンの操作が行われるまで待つ。操作を検出すると（Ｙ）、ユーザの操作をトリガとしてリモコン装置の傾きを検出する（ステップＳ３）。検出結果は、インジケータによって報知される。例えば、傾きが右であれば（Ｙ）ステップＳ４に進み（インジケータの例えば右半分が点滅する）、右画面を操作する旨の信号を操作に基づく信号とともにテレビジョン受信装置に送出する。傾きが左であれば（Ｎ）、ステップＳ５に進み、左画面を操作する旨の信号を操作に基づく信号とともにテレビジョン受信装置に送出する。インジケータに代えて切り替わりを報知する音声が出力されるようにしても良い。以上の処理により、左右の画面のいずれかを選択しながら操作を行うことができる。【選択図】図６
2008085603.tif 000002
【特許請求の範囲】
【請求項１】
電子機器の第１の操作対象画面と第２の操作対象画面とに対してそれぞれ操作を行うことができるリモコン装置であって、
キー操作部と、
リモコン装置の傾きを検出する傾き検出部と、
キー操作をトリガとして、キー操作時のリモコン装置の傾きを前記傾き検出部により検出し、キー操作に基づく指示と検出された傾きに応じて前記第１の操作対象画面と前記第２の操作対象画面とのいずれを現在操作対象とするに関する予め決められている規定に基づいて、キー操作に基づく指示を現在操作対象に対して送るように制御する制御部を有することを特徴とするリモコン装置。
【請求項２】
前記操作キーに基づく指示と前記傾きに基づく操作対象画面に関する指示と、を１つに合わせたコードとして送出することを特徴とする請求項１に記載のリモコン装置。
【請求項３】
さらに、前記傾きを報知する傾き報知部を有することを特徴とする請求項１又は２に記載のリモコン装置。
【請求項４】
前記傾きの角度の変化を報知する第１の報知部を有することを特徴とする請求項１から３までのいずれか１項に記載のリモコン装置。
【請求項５】
前記傾き検出部は、傾きに関するバッファ角度を有していることを特徴とする請求項１から４までのいずれか１項に記載のリモコン装置。
【請求項６】
前記バッファ角度は、傾き０を挟んで少なくともいずれかの方向に、ある角度まで傾くまでは、操作対象画面の選択を行わない角度であることを特徴とする請求項５に記載のリモコン装置。
【請求項７】
前記傾き検出部は、傾きの検出に関するバッファ時間を有していることを特徴とする請求項１から６までのいずれか１項に記載のリモコン装置。
【請求項８】
前記バッファ角度又はバッファ時間を超えた場合に、その旨を報知する第２の報知部を有していることを特徴とする請求項５から７までのいずれか１項に記載のリモコン装置。
【請求項９】
これらのバッファのしきい値をユーザ操作により変更可能とすることを特徴とする請求項５から８までのいずれか１項に記載のリモコン装置。
【請求項１０】
請求項１から９までのいずれか１項に記載のリモコン装置により操作される電子機器であって、
傾き情報とキー操作を合わせた情報から、ユーザが意図する操作画面に操作側切換を行い、キーコードに対応する操作を実施する制御部を有することを特徴とする電子機器。
【発明の詳細な説明】
【技術分野】
【０００１】
本発明は、テレビにおけるリモコン送信機とテレビ受信機との画面制御に関する。
【背景技術】
【０００２】
従来、１台のテレビで複数のチャンネルや複数の入力信号に基づく表示を複数の画面にそれぞれ、同時に表示する多画面表示技術が提案され実現されている。このような多画面表示においては、リモコン装置の操作を、それぞれの画面に対して区別して行う必要が生じる。
【０００３】
そこで、傾き姿勢検出手段により検出された姿勢に基づき、被遠隔操作機器（リモコン受信側機器）にリモコンコードを送出することをできるリモコンが開示されている（特許文献１参照）。このリモコン装置においては、リモコン装置を把持した状態でユーザがリモコン装置を傾けることにより、複数画面のうちでユーザが操作したい画面を選択するリモコンコードを送出し、ユーザのキー操作によるリモコンコード、例として選局アップキーコードを送出することができる。テレビジョン受信装置側では、操作する画面への切換キーコードを受け、その後に選局アップキーコードを受けるため、傾きにより選択された方の画面の選局アップ処理を実行することができて便利である。図７は、かかるリモコンシステムにおける制御処理の流れを示すフローチャート図である。図７に示すように、まず、ステップＳ１０１において、処理を開始し、ステップＳ１０２において、リモコンボタンが操作されたか否かを判断する。操作されていれば（Ｙ）、ステップＳ１０３に進み、タイマースタート（リスタート）で、傾きコード送出フラグをオンにする。次いで、ステップＳ１０４において、リモコンボタンに対応するキーを送出し、ステップＳ１０２に戻る。
【０００４】
ステップＳ１０２においてＮの場合には、ステップＳ１０５に進み、タイマーはタイムアウトしているか否かを判定し、タイムアウトしていれば（Ｙ）、ステップＳ１０６においてタイマーストップを行い、傾きコード送出フラグをオンにする。Ｎであれば、ステップＳ１０２に戻る。図７（ｂ）に示す処理の流れは、フラグオンの場合の動作例を示す図である。図７（ｂ）に示すように、ステップＳ１２１において処理を開始すると、ステップＳ１２２において傾きコード送出フラグがオンになっているか否かを判定する。Ｙの場合には、ステップＳ１２３に進み、キー送出タイミングであるか否かを判定する。Ｙの場合には、ステップＳ１２４に進み、傾きは右であるかどうかを判定する。Ｙの場合は、ステップＳ１２５において右側に表示されている画面に対してキーを送出する。Ｎの場合には、左側に表示されている画面に対してキーを送出する。これらの処理は上下表示の場合でも同様である。ステップＳ１２２でＮの場合、ステップＳ１２３でＮの場合には、ステップＳ１２２に戻る。以上の処理により、リモコンの傾きにより左右の表示画面のうちのいずれか一方を選択して操作を行うことができる。
【０００５】
【特許文献１】特開２００４−２３６０３４号公報
【発明の開示】
【発明が解決しようとする課題】
【０００６】
しかしながら、上記技術には以下に説明するような問題がある。
【０００７】
１．操作切換（傾きにより送出）とキー操作という２つの操作が独立して行われる操作になっているため、リモコンコードとしては別コードとなり、片方のみを受けてしまういわゆる泣き別れになる可能性がある。すなわち、リモコン装置の傾きによるコードを受信できずにキー操作のみ受信すると、意図しない画面の操作を行ってしまうという問題がある。
【０００８】
２．傾き基づくコード送出処理が行われるため、ユーザが意図しない場合でも操作切換が発生してしまうことがあり、その後の操作キーの解釈や、操作切換による音声の切換制御をしづらいという問題がある。すなわち、複数の人が複数のリモコンを所有している場合に、操作を意図していないユーザが、傾きコードを送出してしまっている状態が発生しやすく、操作したい人のリモコン信号に基づく干渉現象が生じ、或いは、意図しない画面の選択が行われてしまう可能性もある。 また、操作切換に連動させて出力音声を切り換えている受信装置では、リモコンを置くなどのユーザの動きでいちいち音声が切り替わってしまう可能性もある。
【０００９】
３．傾きの大きさや時間をパラメータにしてリモコン信号を送出するため、どの程度だけ傾けると実際に傾いたと検知するのか、どの程度の期間傾けていると時間を検知するのか、に関してユーザには分かりにくく、画面上で実際にカーソルの移動具合を確かめてみない限り、明確な閾値が分かりにくく、感覚で覚える必要があるなどの不便な点があった。
【００１０】
４．閾値をユーザがカスタマイズできるようにするため、従来ではＰＣなどから設定値を変更することが開示されているが、設定値の変更、リモコン装置の操作、受信装置での動作確認、というような処理手順が必要となり、設定値の変更のチューニングに手間がかかるという問題もある。
【００１１】
５．例えば左右２画面をリモコンの左右の傾きに対応させたときに、閾値を少しまたぐ（手が揺れるなどの意図しない動作により）だけで、操作画面が切り替わってしまい操作性が悪くなってしまうという問題もあった。
【００１２】
本発明は、操作画面を切り替える場合における、使い勝手のよいリモコン装置を提供することを目的とする。
【課題を解決するための手段】
【００１３】
複数画面表示中にそれぞれの画面に関する操作を行うときに、操作切換を行うためだけのキー操作を不要とすることを特徴とするリモコン送信機において以下の手段を有する。
【００１４】
１）ユーザのキー操作をトリガとして、キー操作時の傾きを読み取り、操作キーと傾きに対応した一つに合わせたコード（分割しても単一のコードとしてデコードされない）としてコードを送出する。
【００１５】
２）受信機側は、傾き情報とキー操作を合わせた情報から、ユーザが意図する操作画面に操作側切換を行い、キーコードに対応する操作を行う。
【００１６】
３）傾きに応じたリモコンコード送出リモコン装置におい、傾きの角度又は傾けた期間の少なくともいずれかにおけるしきい値を越えるほどに変化又は時間経過すると、変化するＬＥＤなどのインジケータを設け、明確なスレッシュをユーザに対して報知する。
【００１７】
４）上記３）のインジケータ付のリモコンにおいて、ユーザがそのしきい値を変更できるようにする。これにより、部屋や電子機器の変更に対応することができるようにする。インジケータにより、設定変更から効果確認までがリモコン操作のみで完了できる。
【００１８】
５）操作切換情報を上乗せしない傾きに関するバッファ領域を設ける。この際、送出コードには傾きによる画面選択情報が入らないため、受信機（被制御電子機器側）では、前回の操作画面側の操作コードを受信したときと同じ動作を行うことになる。
【発明の効果】
【００１９】
左右の画面のいずれかの選択と操作とを一度の操作で行うことができる。従って、２画面操作におけるリモコン操作が簡単になるという利点がある。
【発明を実施するための最良の形態】
【００２０】
以下、本発明の一実施の形態によるリモコンシステムについて図面を参照しながら説明を行う。図１は、本実施の形態によるリモコンシステムにおけるリモコン装置による制御対象であるテレビジョン受信装置の一構成例を示す機能ブロック図である。図２は、図１に示すテレビジョン受信装置におけるテレビ画面と、リモコン装置の配置の概要を示す図である。図３は、リモコン装置の一構成例を示す正面図であり、図４は、リモコン装置の機能ブロック図である。図５は、本実施の形態によるリモコンシステムにおけるリモコン制御の判断基準の一例を示す図である。図６は、処理の流れを示すフローチャート図である。
【００２１】
図１に示すように、テレビジョン受信装置Ａは、２画面表示（それ以上でもよい）が可能なように、２系列の処理系を有している。すなわち、アンテナ１と、フロントエンド３・１１、デマルチプレクサＡ５・Ｂ１５、映像・音声デコード部Ａ７・Ｂ１７と、画面合成部２１と、ＲＡＭ２３及びＲＯＭ２５と、タイマー２４と、全体を制御することができる制御部であって、ＨＴＭＬブラウザ３１とＢＭＬブラウザ３２とを有する制御部２７と、音声切換部３３と、表示部３５と、音声出力部Ａ３７・Ｂ４１と、インサーネット部４３と、リモコン受光部４５と、を有している。これらのうちのいくつかは任意に設けられていればよい。
【００２２】
図２に示すように、テレビジョン受信装置Ａの表示部３５は、例として右画面表示３５ａと左画面表示３５ｂとを表示しており、リモコン受光部４５に対してリモコン装置Ｂが向けられている。図３に示すリモコン装置Ｂは、リモコン信号送出部１０５と、リモコン操作キー１０２と、リモコンの傾きを検出する周知の傾き検出部１１５と、リモコンの傾き状態等を報知する報知部（インジケータ）１０３と、を有している。図３と対応する図面である図４に示すように、リモコン装置には、装置を制御する制御部１０７と、リモコンコードなどを記憶する記憶部１１１と、を含む各機能が内蔵されている。
【００２３】
尚、リモコン装置Ｂを傾けると、その傾き量は例えば加速度センサによって検出される。加速度センサは、加速度の向きを決定する際に重力の向きを基準としており、傾き姿勢を感知するセンサとしても用いることができるため、本実施の形態においては、加速度センサにより、重力の向きと垂直な面内における直交する２軸方向の傾き量を検出し、この検出値に応じたデジタル信号を傾きの検出値として出力するようにしている。
【００２４】
図５は、リモコン装置Ｂにおける傾き検出部１１５の検出特性の一例を示す図である。図５（ａ）に示す特性は、リモコンの傾きの角度と、左右２画面表示の場合の画面選択との第１の関係を示す図である。図５（ａ）に示すように、左画面と模擬画面との選択の境界（Ｌ１）は、傾き０度を境として左右に少しでも傾いた場合に、それぞれ、左画面・右画面が選択されるようになっている様子を示す図である。図５（ｂ）に示す検出特性では、左右の傾きがある程度（例えば１０度）までは現状の画面選択（前回の選択）を維持し、それを越える傾きが検出されると、図５（ａ）と同様に、左右に傾いたその方向の画面が選択されるようになっている。図５（ｂ）に示す検出特性では、ユーザがリモコン装置を把持した状態で、わずかに傾いた場合には、ユーザの意志による傾きではないと判定する。そして、ある程度の角度を超える傾きが検出された場合に、初めて有意の傾きと判断し、画面選択が行われるようになっている。この領域をバッファ領域（角度）と称する。尚、このバッファー領域では、左右両方の画面について操作が行われるようにしても良い。バッファー領域での扱いをいずれにするかは、予め設定しておくことができる。
【００２５】
図６は、本実施の形態によるリモコン装置による複数画面選択処理の流れを示すフローチャート図である。まず、ステップＳ１において処理が開始され、ステップＳ２において、リモコンボタンの操作が行われるまで待つ。操作を検出すると（Ｙ）、このユーザのリモコン操作をトリガとしてリモコン装置の傾きを検出する（ステップＳ３）。検出結果は、インジケータによって報知される。例えば、傾きが右であれば（Ｙ）ステップＳ４に進み（インジケータの例えば右半分が点滅する）、右画面を操作する旨の信号を操作に基づく信号とともにテレビジョン受信装置Ａに送出する。傾きが左であれば（Ｎ）、ステップＳ５に進み（インジケータの例えば左半分が点滅する）、左画面を操作する旨の信号を操作に基づく信号とともにテレビジョン受信装置Ａに送出する。インジケータに代えて切り替わりを報知する音声が出力されるようにしても良い。左右のいずれかの画面が選択された場合に、選択された方の画面と非選択の方の画面とを識別可能にする表示を行うようにしても良い。以上の処理により、左右の画面のいずれかの選択と操作とを一度の操作で行うことができる。従って、２画面操作におけるリモコン操作が簡単になるという利点がある。
【００２６】
尚、上記の例では、左右の２方向の傾きを検出するようにしたが、例えば、このような検出器を２つ搭載し、一方で左右の傾きを、他方で上下の傾きを検出するようにすれば、上下左右４画面における選択的操作を簡単に行うことができる。すなわち、多画面操作にも適用できる。
【００２７】
尚、報知部１０３は、検出された傾きを報知するようにしても良いし、傾きの角度の変化があり、それが例えば下記で説明するようなあるバッファ領域を越えて真に傾きとして検知されるとその旨をユーザに報知する傾き変化報知部を設けても良い。また、傾けた期間が例えばある程度長い（例えば１ｓ程度：バッファ時間）場合に真の傾きとして検知されるようにしておき、この期間を越えるインジケータによりユーザに報知するようにしても良い。これらのバッファのしきい値を、インジケータを見ながら変更できるようにするのが好ましい。
【００２８】
また、上記実施の形態では、多画面表示が可能なテレビジョン装置を例にして説明したが、その他の電子機器のリモコン装置にも利用可能である。例えば、２台のパーソナルコンピュータを操作する場合に、左右にパーソナルコンピュータを設置し、１台のリモコンの傾きで選択しながらパーソナルコンピュータを操作も選択的に行うことができる。加えて、２台のレコーダーを２画面、もしくは、モニター２台で表示しているときにその操作を一つのリモコンで操作するときにも利用可能である。これら、２画面テレビのように一つの電子機器でないものに応用するときには、リモコンコードを画面選択と制御コードを必ずしも一つのコードとする必要はないが、リモコンにそれぞれの機器固有のコードを記憶させる手段を有することにより、応用範囲が一層広がる。
【産業上の利用可能性】
【００２９】
本発明は、多画面テレビジョン装置用のリモコン装置に利用可能である。
【図面の簡単な説明】
【００３０】
【図１】本実施の形態によるリモコンシステムにおけるリモコン装置による制御対象であるテレビジョン受信装置の一構成例を示す機能ブロック図である。
【図２】図２は、図１に示すテレビジョン受信装置におけるテレビ画面と、リモコン装置の配置の概要を示す図である。
【図３】図３は、リモコン装置の一構成例を示す正面図である。
【図４】図４は、リモコン装置の機能ブロック図である。
【図５】図５は、本実施の形態によるリモコンシステムにおけるリモコン制御の判断基準の一例を示す図である。
【図６】図６は、処理の流れを示すフローチャート図である。
【図７】傾き姿勢検出手段により検出された姿勢に基づき、被遠隔操作機器（リモコン受信側機器）にリモコンコードを送出することをできるリモコンの処理の流れを示すフローチャート図である。
【符号の説明】
【００３１】
Ａ…テレビジョン受信装置、１…アンテナ、３・１１…フロントエンド、５…デマルチプレクサＡ、７…映像・音声デコード部Ａ、１５…デマチプレクサＢ、１７…映像・音声デコード部Ｂ、２１…画面合成部、２３…ＲＡＭ、２４…タイマー、２５…ＲＯＭ、２７…制御部、３１…ＨＴＭＬブラウザ、３２…ＢＭＬブラウザ、３３…音声切換部、３５…表示部、３５ａ…右画面表示、３５ｂ…左画面表示、３７…音声出力部Ａ、４１…音声出力部Ｂ、４３…インサーネット部、４５…リモコン受光部、１０２…リモコン操作キー、１０３…報知部、１０５…リモコン信号送出部、１０７…制御部、１１１…記憶部、１１５…傾き検出部。
【図１】
2008085603.tif 000003
【図２】
2008085603.tif 000004
【図３】
2008085603.tif 000005
【図４】
2008085603.tif 000006
【図５】
2008085603.tif 000007
【図６】
2008085603.tif 000008
【図７】
2008085603.tif 000009